(57)【特許請求の範囲】
【請求項１】
プロセッサが、送信されるべき複数のトランスポートブロックの各々についてスケジュールされたトランスポートフォーマットパラメータを受信することと、前記スケジュールされたトランスポートフォーマットパラメータは、各トランスポートブロックのスケジュールされた変調およびコーディング方式（ＭＣＳ）の値を含み、前記スケジュールされたＭＣＳ値は、電力補償のない、経路損失推定に基づく送信電力制御計算を用いたトランスポートフォーマット値を表す元のＭＣＲとは別個であり、前記スケジュールされたトランスポートフォーマットパラメータは、前記スケジュールされたＭＳＣと前記元のＭＣＳとの間のインデックスの差、または前記スケジュールされたＭＳＣのインデックスから判断され、
前記プロセッサが、前記スケジュールされたトランスポートフォーマットパラメータに基づいて各トランスポートブロックの送信電力レベル調整を判断することと、
前記プロセッサが、前記送信電力レベル調整を使用して各トランスポートブロックを送信することと
を備える、ワイヤレス通信の方法。
【請求項２】
前記プロセッサが、前記スケジュールされたトランスポートフォーマットパラメータに基づいてスペクトル効率を判断することであって、前記送信電力レベル調整を前記判断することが、前記スペクトル効率に基づく、判断することをさらに含む、請求項１に記載の方法。
【請求項３】
前記スペクトル効率が、前記スケジュールされたＭＣＳの前記値に基づいて、スケジュールされたリソース要素毎変調（ＭＰＲ）値を含む、請求項２に記載の方法。
【請求項４】
前記受信することが、アップリンク許可メッセージ中で前記スケジュールされたトランスポートフォーマットパラメータを受信することを含む、請求項１に記載の方法。
【請求項５】
前記送信電力レベル調整を前記判断することが、次式を使用して前記送信電力レベル調整を計算することを含み、
【数１】
0005976877.tif 000107
上式で、Ｋｓは、前記送信電力レベル調整のモバイルデバイス固有パラメータ指示使用可能性であり、
【数２】
0005976877.tif 000108
は、第１のトランスポートブロックについてのスケジュールされたリソース要素毎変調（ＭＰＲ）であり、
【数３】
0005976877.tif 000109
は、第２のトランスポートブロックについてのスケジュールされたＭＰＲである、請求項１に記載の方法。
【請求項６】
前記送信電力レベル調整を前記判断することが、次式を使用して前記送信電力レベル調整を計算することを含み、
【数４】
0005976877.tif 000110
上式で、Ｋｓは、前記送信電力レベル調整のモバイルデバイス固有パラメータ指示使用可能性であり、
【数５】
0005976877.tif 000111
は、第１のトランスポートブロックについてのスケジュールされたリソース要素毎変調（ＭＰＲ）であり、
【数６】
0005976877.tif 000112
は、第２のトランスポートブロックについてのスケジュールされたＭＰＲである、請求項１に記載の方法。
【請求項７】
プロセッサが、モバイルデバイスによって送信されるべき複数のトランスポートブロックの各々についてスケジュールされたトランスポートフォーマットパラメータを判断することと、前記スケジュールされたトランスポートフォーマットパラメータは、各トランスポートブロックのスケジュールされた変調およびコーディング方式（ＭＣＳ）の値を含み、前記スケジュールされたＭＣＳ値は、電力補償のない、経路損失推定に基づく送信電力制御計算を用いたトランスポートフォーマット値を表す元のＭＣＲとは別個であり、前記スケジュールされたトランスポートフォーマットパラメータは、前記スケジュールされたＭＳＣと前記元のＭＣＳとの間のインデックスの差、または前記スケジュールされたＭＳＣのインデックスから判断され、
前記プロセッサが、前記モバイルデバイスに前記スケジュールされたトランスポートフォーマットパラメータを送信することと、
前記プロセッサが、前記スケジュールされたトランスポートフォーマットパラメータに基づく送信電力レベル調整を用いて送信された前記トランスポートブロックを受信することと
を備える、ワイヤレス通信の方法。
【請求項８】
前記スケジュールされたトランスポートフォーマットパラメータが、第１のトランスポートブロックの第１のスケジュールされた変調およびコーディング方式（ＭＣＳ）値と、
第２のトランスポートブロックの第２のスケジュールされたＭＣＳ値とを含む、請求項７に記載の方法。
【請求項９】
ワイヤレス通信システムにおけるＭＩＭＯ動作のアップリンク電力制御のための装置であって、
送信されるべき複数のトランスポートブロックの各々についてスケジュールされたトランスポートフォーマットパラメータを受信するための手段と、前記スケジュールされたトランスポートフォーマットパラメータは、各トランスポートブロックのスケジュールされた変調およびコーディング方式（ＭＣＳ）の値を含み、前記スケジュールされたＭＣＳ値は、電力補償のない、経路損失推定に基づく送信電力制御計算を用いたトランスポートフォーマット値を表す元のＭＣＲとは別個であり、前記スケジュールされたトランスポートフォーマットパラメータは、前記スケジュールされたＭＳＣと前記元のＭＣＳとの間のインデックスの差、または前記スケジュールされたＭＳＣのインデックスから判断され、
前記スケジュールされたトランスポートフォーマットパラメータに基づいて各トランスポートブロックの送信電力レベル調整を判断するための手段と、
前記送信電力レベル調整を使用して各トランスポートブロックを送信するための手段と
を備える、ワイヤレス通信の装置。
【請求項１０】
前記スケジュールされたトランスポートフォーマットパラメータに基づいてスペクトル効率を判断するための手段であって、前記送信電力レベル調整を前記判断するための手段が、前記スペクトル効率に基づく、判断するための手段をさらに含む、請求項９に記載の装置。
【請求項１１】
前記スペクトル効率が、前記スケジュールされたＭＣＳの前記値に基づいて、スケジュールされたリソース要素毎変調（ＭＰＲ）値を含む、請求項１０に記載の装置。
【請求項１２】
前記受信するための手段が、アップリンク許可メッセージ中で前記スケジュールされたトランスポートフォーマットパラメータを受信するための手段を含む、請求項９に記載の装置。
【請求項１３】
前記送信電力レベル調整を前記判断するための手段が、次式を使用して前記送信電力レベル調整を計算するための手段を含み、
【数７】
0005976877.tif 000113
上式で、Ｋｓは、前記送信電力レベル調整のモバイルデバイス固有パラメータ指示使用可能性であり、
【数８】
0005976877.tif 000114
は、第１のトランスポートブロックについてのスケジュールされたリソース要素毎変調（ＭＰＲ）であり、
【数９】
0005976877.tif 000115
は、第２のトランスポートブロックについてのスケジュールされたＭＰＲである、請求項９に記載の装置。
【請求項１４】
前記送信電力レベル調整を前記判断するための手段が、次式を使用して前記送信電力レベル調整を計算するための手段を含み、
【数１０】
0005976877.tif 000116
上式で、Ｋｓは、前記送信電力レベル調整のモバイルデバイス固有パラメータ指示使用可能性であり、
【数１１】
0005976877.tif 000117
は、第１のトランスポートブロックについてのスケジュールされたリソース要素毎変調（ＭＰＲ）であり、
【数１２】
0005976877.tif 000118
は、第２のトランスポートブロックについてのスケジュールされたＭＰＲである、請求項９に記載の装置。
【請求項１５】
ワイヤレス通信システムにおけるＭＩＭＯ動作のアップリンク電力制御のための装置であって、
モバイルデバイスによって送信されるべき複数のトランスポートブロックの各々についてスケジュールされたトランスポートフォーマットパラメータを判断するための手段と、前記スケジュールされたトランスポートフォーマットパラメータは、各トランスポートブロックのスケジュールされた変調およびコーディング方式（ＭＣＳ）の値を含み、前記スケジュールされたＭＣＳ値は、電力補償のない、経路損失推定に基づく送信電力制御計算を用いたトランスポートフォーマット値を表す元のＭＣＲとは別個であり、前記スケジュールされたトランスポートフォーマットパラメータは、前記スケジュールされたＭＳＣと前記元のＭＣＳとの間のインデックスの差、または前記スケジュールされたＭＳＣのインデックスから判断され、
前記モバイルデバイスに前記スケジュールされたトランスポートフォーマットパラメータを送信するための手段と、
前記スケジュールされたトランスポートフォーマットパラメータに基づく送信電力レベル調整を用いて送信された前記トランスポートブロックを受信するための手段と
を備える、装置。
【請求項１６】
前記スケジュールされたトランスポートフォーマットパラメータが、第１のトランスポートブロックの第１のスケジュールされた変調およびコーディング方式（ＭＣＳ）値と、第２のトランスポートブロックの第２のスケジュールされたＭＣＳ値とを含む、請求項１５に記載の装置。
【請求項１７】
ワイヤレスネットワークにおけるワイヤレス通信のためのＭＩＭＯ動作のアップリンク電力制御のためのプログラムコードを記録したコンピュータ可読記憶媒体であって、コンピュータに、請求項１乃至６のうちのいずれか一項に記載の方法のステップを実行させるためのプログラムコードを記憶する、コンピュータ可読記憶媒体。
【請求項１８】
ワイヤレスネットワークにおけるワイヤレス通信のためのＭＩＭＯ動作のアップリンク電力制御のためのプログラムコードを記録したコンピュータ可読記憶媒体であって、コンピュータに、請求項７または８に記載の方法のステップを実行させるためのプログラムコードを記憶する、コンピュータ可読記憶媒体。
【発明の詳細な説明】
【技術分野】
【０００１】
関連出願の相互参照
本出願は、その全体が参照により本明細書に明確に組み込まれる、２０１０年１１月５日に出願された「DYNAMIC UPLINK POWER CONTROL」と題する米国仮特許出願第６１／４１０，８１８号、および２０１０年１１月９日に出願された「DYNAMIC UPLINK POWER CONTROL」と題する米国仮特許出願第６１／４１１，８６３号の利益を主張する。
【０００２】
本開示は、一般に通信に関し、より詳細には、ワイヤレス通信システムにおいて使用するための電力制御技法に関する。
【背景技術】
【０００３】
ワイヤレス通信システムは、音声、ビデオ、パケットデータ、メッセージング、ブロードキャストなど、様々な通信コンテンツを提供するために広く展開されている。これらのワイヤレスシステムは、利用可能なシステムリソースを共有することによって複数のユーザをサポートすることが可能な多元接続システムであり得る。そのような多元接続システムの例には、符号分割多元接続（ＣＤＭＡ）システム、時分割多元接続（ＴＤＭＡ）システム、周波数分割多元接続（ＦＤＭＡ）システム、直交ＦＤＭＡ（ＯＦＤＭＡ）システムおよびシングルキャリアＦＤＭＡ（ＳＣ−ＦＤＭＡ）システムがある。
【０００４】
ワイヤレス通信システムは、いくつかのユーザ機器（ＵＥ）のための通信をサポートすることができるいくつかの基地局を含み得る。基地局は、複数の送信および／または受信アンテナを含み得る。各ＵＥは、複数の送信および／または受信アンテナを含み得る。Ｌｏｎｇ  Ｔｅｒｍ  Ｅｖｏｌｕｔｉｏｎ（ＬＴＥ）規格のリリース８およびリリース９バージョン（本明細書では「Ｒｅｌ−８」および「Ｒｅｌ−９」）など、いくつかの設計では、基地局は、時々ＵＥに送信電力制御メッセージを送信することによってＵＥの送信電力レベルを制御し得る。しかしながら、より多くのアップストリーム帯域幅の必要性は常に増加しており、アップリンクにおける柔軟な動的な送信電力制御が必要である。さらに、ＬＴＥ−Ａｄｖａｎｃｅｄは、アップリンク方向における複数の送信アンテナ構成をサポートし、複数のアンテナ構成の送信電力制御が必要である。
【０００５】
既存の送信電力制御機構を拡張する必要がある。
【発明の概要】
【０００６】
これらおよび他の問題は、ワイヤレス通信ネットワーク中のユーザ機器の送信電力を制御する開示する技法によって解決される。
【０００７】
１つの例示的な態様では、ワイヤレス通信の方法は、送信されるべき複数のトランスポートブロックの各々についてスケジュールされたトランスポートフォーマットパラメータを受信することと、スケジュールされたトランスポートフォーマットパラメータに基づいて各トランスポートブロックの送信電力レベル調整を判断することと、送信電力レベル調整を使用して各トランスポートブロックを送信することとを含む。
【０００８】
別の例示的な態様では、ワイヤレス通信の方法は、モバイルデバイスによって送信されるべき複数のトランスポートブロックの各々についてスケジュールされたトランスポートフォーマットパラメータを判断することと、モバイルデバイスにスケジュールされたトランスポートフォーマットパラメータを送信することと、スケジュールされたトランスポートフォーマットパラメータに基づく送信電力レベル調整を用いて送信されたトランスポートブロックを受信することとを含む。
【０００９】
別の例示的な態様では、ワイヤレス通信のための方法は、第１のトランスポートフォーマットパラメータと第２のトランスポートフォーマットパラメータとを受信することと、第１のトランスポートフォーマットパラメータと第２のトランスポートフォーマットパラメータとに基づいて送信電力レベル調整を判断することと、送信電力レベル調整を使用してトランスポートブロックを送信することとを含む。
【００１０】
別の例示的な態様では、ワイヤレス通信の装置は、送信されるべき複数のトランスポートブロックの各々についてスケジュールされたトランスポートフォーマットパラメータを受信するための手段と、スケジュールされたトランスポートフォーマットパラメータに基づいて各トランスポートブロックの送信電力レベル調整を判断するための手段と、送信電力レベル調整を使用して各トランスポートブロックを送信するための手段とを含む。
【００１１】
別の例示的な態様では、ワイヤレス通信の装置は、モバイルデバイスによって送信されるべき複数のトランスポートブロックの各々についてスケジュールされたトランスポートフォーマットパラメータを判断するための手段と、モバイルデバイスにスケジュールされたトランスポートフォーマットパラメータを送信するための手段と、スケジュールされたトランスポートフォーマットパラメータに基づく送信電力レベル調整を用いて送信されたトランスポートブロックを受信するための手段とを含む。
【００１２】
別の例示的な態様では、ワイヤレス通信のための装置は、第１のトランスポートフォーマットパラメータと第２のトランスポートフォーマットパラメータとを受信するための手段と、第１のトランスポートフォーマットパラメータと第２のトランスポートフォーマットパラメータとに基づいて送信電力レベル調整を判断するための手段と、送信電力レベル調整を使用してトランスポートブロックを送信するための手段とを含む。
【００１３】
別の例示的な態様では、ワイヤレスネットワークにおけるワイヤレス通信のためのコンピュータプログラム製品を開示する。本コンピュータプログラム製品は、プログラムコードを記録した非一時的コンピュータ可読媒体を含む。プログラムコードは、送信されるべき複数のトランスポートブロックの各々についてスケジュールされたトランスポートフォーマットパラメータを受信するためのコードと、スケジュールされたトランスポートフォーマットパラメータに基づいて各トランスポートブロックの送信電力レベル調整を判断するためのコードと、送信電力レベル調整を使用して各トランスポートブロックを送信するためのコードとを含む。
【００１４】
さらに別の例示的な態様では、ワイヤレスネットワークにおけるワイヤレス通信のためのコンピュータプログラム製品を開示する。本コンピュータプログラム製品は、プログラムコードを記録した非一時的コンピュータ可読媒体を含む。プログラムコードは、モバイルデバイスによって送信されるべき複数のトランスポートブロックの各々についてスケジュールされたトランスポートフォーマットパラメータを判断するためのコードと、モバイルデバイスにスケジュールされたトランスポートフォーマットパラメータを送信するためのコードと、スケジュールされたトランスポートフォーマットパラメータに基づく送信電力レベル調整を用いて送信されたトランスポートブロックを受信するためのコードとを含む。
【００１５】
さらに別の例示的な態様では、ワイヤレスネットワークにおけるワイヤレス通信のためのコンピュータプログラム製品を開示する。本コンピュータプログラム製品は、プログラムコードを記録した非一時的コンピュータ可読媒体を含む。プログラムコードは、第１のトランスポートフォーマットパラメータと第２のトランスポートフォーマットパラメータとを受信するためのコードと、第１のトランスポートフォーマットパラメータと第２のトランスポートフォーマットパラメータとに基づいて送信電力レベル調整を判断するためのコードと、送信電力レベル調整を使用してトランスポートブロックを送信するためのコードとを含む。
【００１６】
さらに別の例示的な態様では、ワイヤレス通信のために構成された装置を開示する。本装置は、少なくとも１つのプロセッサと、プロセッサに結合されたメモリとを含む。プロセッサは、送信されるべき複数のトランスポートブロックの各々についてスケジュールされたトランスポートフォーマットパラメータを受信することと、スケジュールされたトランスポートフォーマットパラメータに基づいて各トランスポートブロックの送信電力レベル調整を判断することと、送信電力レベル調整を使用して各トランスポートブロックを送信することとを行うように構成される。
【００１７】
さらに別の例示的な態様では、ワイヤレス通信のために構成された装置を開示する。本装置は、少なくとも１つのプロセッサと、プロセッサに結合されたメモリとを含む。プロセッサは、モバイルデバイスによって送信されるべき複数のトランスポートブロックの各々についてスケジュールされたトランスポートフォーマットパラメータを判断することと、モバイルデバイスにスケジュールされたトランスポートフォーマットパラメータを送信することと、スケジュールされたトランスポートフォーマットパラメータに基づく送信電力レベル調整を用いて送信されたトランスポートブロックを受信することとを行うように構成される。
【００１８】
さらに別の例示的な態様では、ワイヤレス通信のために構成された装置を開示する。本装置は、少なくとも１つのプロセッサと、プロセッサに結合されたメモリとを含む。プロセッサは、第１のトランスポートフォーマットパラメータと第２のトランスポートフォーマットパラメータとを受信することと、第１のトランスポートフォーマットパラメータと第２のトランスポートフォーマットパラメータとに基づいて送信電力レベル調整を判断することと、送信電力レベル調整を使用してトランスポートブロックを送信することとを行うように構成される。
【００１９】
本開示の様々な態様および特徴について以下でさらに詳細に説明する。
【図面の簡単な説明】
【００２０】
【図１】ワイヤレス通信システムを示す図。
【図２】例示的な送信構造を示す図。
【図３】本開示の一態様を実装するために実行される例示的なブロックを示す機能ブロック図。
【図４】本開示の一態様に従って構成されたワイヤレス通信装置のブロック図表現。
【図５】本開示の一態様を実装するために実行される例示的なブロックを示す機能ブロック図。
【図６】本開示の一態様に従って構成されたＵＥを示すブロック図。
【図７】本開示の一態様を実装するために実行される例示的なブロックを示す機能ブロック図。
【図８】本開示の一態様に従って構成された発展型ノードＢ（ｅＮＢ）を示すブロック図。
【発明を実施するための形態】
【００２１】
前に説明したように、ＭＩＭＯシステム中のユーザ機器の送信電力を制御するための技法を提供する必要がある。
【００２２】
手短に一般的に言えば、ユーザ機器は、トランスポートフォーマットパラメータのセットを使用して所望の送信電力レベルを示すメッセージを基地局から受信し得る。ユーザ機器は、受信したトランスポートフォーマットパラメータを使用して所望の送信電力レベルを計算し得る。いくつかの設計では、受信したトランスポートフォーマットパラメータは、単一のトランスポートブロックの送信電力を指定し得るが、他の設計では、受信したトランスポートフォーマットパラメータは、２つのトランスポートブロックの送信電力を指定し得る。
【００２３】
手短に一般的に言えば、基地局は、ユーザ機器における信号対雑音比、ブロック誤り率またはバッファフルネス（buffer fullness）などの動作パラメータに基づいてユーザ機器からの送信のための所望の送信電力レベルを計算し得る。基地局は、トランスポートブロックの送信電力の計算のために、トランスポートフォーマットが従来の技法に従ってどうであったかに基づく第１のパラメータと、ブロック誤り率または信号対雑音比値などの一定の性能ターゲットを達成するためにトランスポートフォーマットがどうあるべきかに基づく第２のパラメータとの少なくとも２つのトランスポートフォーマットパラメータを使用し得る。いくつかの設計では、基地局はまた、第２のトランスポートブロックの送信に適用可能な所望の送信電力レベルを計算するために追加のトランスポートフォーマットパラメータを使用し得る。一態様では、２つのトランスポートブロックの送信のための所望の送信電力レベルを推定するために使用される公式は、単一のトランスポートブロックの送信のための所望の送信電力レベルを推定するために従来のシステムにおいて使用される公式に単純化し得る。
【００２４】
本明細書で説明する技法は、ＣＤＭＡ、ＴＤＭＡ、ＦＤＭＡ、ＯＦＤＭＡ、ＳＣ−ＦＤＭＡおよび他のシステムなど、様々なワイヤレス通信システムに使用され得る。「システム」および「ネットワーク」という用語は、しばしば互換的に使用される。ＣＤＭＡシステムは、Ｕｎｉｖｅｒｓａｌ  Ｔｅｒｒｅｓｔｒｉａｌ  Ｒａｄｉｏ  Ａｃｃｅｓｓ（ＵＴＲＡ）、ｃｄｍａ２０００などの無線技術を実装し得る。ＵＴＲＡは、広帯域ＣＤＭＡ（ＷＣＤＭＡ（登録商標））およびＣＤＭＡの他の変形態を含む。ｃｄｍａ２０００は、ＩＳ−２０００、ＩＳ−９５、およびＩＳ−８５６規格をカバーする。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ）（登録商標）などの無線技術を実装し得る。ＯＦＤＭＡシステムは、Ｅｖｏｌｖｅｄ  ＵＴＲＡ（Ｅ−ＵＴＲＡ）、Ｕｌｔｒａ  Ｍｏｂｉｌｅ  Ｂｒｏａｄｂａｎｄ（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、Ｆｌａｓｈ−ＯＦＤＭ（登録商標）などの無線技術を実装し得る。ＵＴＲＡおよびＥ−ＵＴＲＡは、Ｕｎｉｖｅｒｓａｌ  Ｍｏｂｉｌｅ  Ｔｅｌｅｃｏｍｍｕｎｉｃａｔｉｏｎ  Ｓｙｓｔｅｍ（ＵＭＴＳ）の一部である。３ＧＰＰ（登録商標）  Ｌｏｎｇ  Ｔｅｒｍ  Ｅｖｏｌｕｔｉｏｎ（ＬＴＥ）およびＬＴＥ−Ａｄｖａｎｃｅｄ（ＬＴＥ−Ａ）は、ダウンリンク上ではＯＦＤＭＡを採用し、アップリンク上ではＳＣ−ＦＤＭＡを採用するＥ−ＵＴＲＡを使用するＵＭＴＳの新しいリリースである。ＵＵＴＲＡ、Ｅ−ＵＴＲＡ、ＵＭＴＳ、ＬＴＥ、ＬＴＥ−ＡおよびＧＳＭは、「３ｒｄ  Ｇｅｎｅｒａｔｉｏｎ  Ｐａｒｔｎｅｒｓｈｉｐ  Ｐｒｏｊｅｃｔ」（３ＧＰＰ）と称する団体からの文書に記載されている。ｃｄｍａ２０００およびＵＭＢは、「３ｒｄ  Ｇｅｎｅｒａｔｉｏｎ  Ｐａｒｔｎｅｒｓｈｉｐ  Ｐｒｏｊｅｃｔ  ２」（３ＧＰＰ２）と称する団体からの文書に記載されている。本明細書で説明する技法は、上記のシステムおよび無線技術、ならびに他のシステムおよび無線技術に使用され得る。明快のために、本技法のいくつかの態様について以下ではＬＴＥに関して説明し、以下の説明の大部分でＬＴＥ用語を使用する。
【００２５】
図１に、ＬＴＥシステムまたは何らかの他のシステムであり得る、ワイヤレス通信システム１００を示す。システム１００は、いくつかの発展型ノードＢ（ｅＮＢ）１１０および他のネットワークエンティティを含み得る。ｅＮＢは、ＵＥと通信するエンティティであり得、基地局、ノードＢ、アクセスポイントなどと呼ばれることもある。各ｅＮＢ１１０は、特定の地理的エリアに通信カバレージを提供し得、カバレージエリア内に位置するＵＥのための通信をサポートし得る。容量を改善するために、ｅＮＢの全体的なカバレージエリアは複数（たとえば、３つ）のより小さいエリアに区分され得る。より小さいエリアの各々は、それぞれのｅＮＢサブシステムによってサービスされ得る。３ＧＰＰでは、「セル」という用語は、このカバレージエリアをサービスしているｅＮＢ１１０および／またはｅＮＢサブシステムの最小カバレージエリアを指すことがある。
【００２６】
ＵＥ１２０はシステム全体に分散され得、各ＵＥ１２０は固定またはモバイルであり得る。ＵＥは、移動局、端末、アクセス端末、加入者ユニット、局などと呼ばれることもある。ＵＥ１２０は、セルラーフォン、携帯情報端末（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、スマートフォン、タブレット、ネットブック、スマートブックなどであり得る。
【００２７】
ＬＴＥは、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ：single-carrier frequency division multiplexing）を利用する。ＯＦＤＭおよびＳＣ−ＦＤＭは、周波数範囲を、一般にトーン（tones）、ビン（bins）などとも呼ばれる複数（Ｋs個）の直交副搬送波に分割する。各サブキャリアはデータで変調され得る。一般に、変調シンボルは、ＯＦＤＭでは周波数領域で、ＳＣ−ＦＤＭでは時間領域で送られる。隣接するサブキャリア間の間隔は固定であり得、サブキャリアの総数（Ｋs）はシステム帯域幅に依存し得る。たとえば、Ｋsは、１．２５、２．５、５、１０、または２０メガヘルツ（ＭＨｚ）のシステム帯域幅に対してそれぞれ１２８、２５６、５１２、１０２４または２０４８に等しくなり得る。システム帯域幅はＫs個の全サブキャリアのサブセットに対応し得る。
【００２８】
図２に、図１のｅＮＢのうちの１つであり得る例示的な基地局／ｅＮＢ１１０、および図１のＵＥのうちの１つであり得るＵＥ１２０の設計のブロック図を示す。ＵＥ１２０はＴ個のアンテナ１２３４ａ〜１２３４ｔを装備し得、基地局１１０はＲ個のアンテナ１２５２ａ〜１２５２ｒを装備し得、一般にＴ≧１およびＲ≧１である。
【００２９】
ＵＥ１２０において、送信プロセッサ１２２０は、データソース１２１２からデータを受信し、コントローラ／プロセッサ１２４０から制御情報を受信し得る。送信プロセッサ１２２０は、データと制御情報とを処理（たとえば、符号化、インターリーブ、およびシンボルマッピング）し得、それぞれデータシンボルと制御シンボルとを与え得る。送信プロセッサ１２２０はまた、ＵＥ１２０に割り当てられた１つまたは複数のＲＳシーケンスに基づいて複数の不連続クラスタ（non-contiguous clusters）のための１つまたは複数の復調基準信号を生成し得、基準シンボルを与え得る。送信（ＴＸ）多入力多出力（ＭＩＭＯ）プロセッサ１２３０は、適用可能な場合、送信プロセッサ１２２０からのデータシンボル、制御シンボル、および／または基準シンボルに対して空間処理（たとえば、プリコーディング）を実行し得、Ｔ個の出力シンボルストリームをＴ個の変調器（ＭＯＤ）１２３２ａ〜１２３２ｔに与え得る。各変調器１２３２は、（たとえば、ＳＣ−ＦＤＭＡ、ＯＦＤＭなどのために）それぞれの出力シンボルストリームを処理して出力サンプルストリームを取得し得る。各変調器１２３２は、さらに出力サンプルストリームを処理（たとえば、アナログ変換、増幅、フィルタ処理、およびアップコンバート）してアップリンク信号を取得し得る。変調器１２３２ａ〜１２３２ｔからのＴ個のアップリンク信号は、それぞれＴ個のアンテナ１２３４ａ〜１２３４ｔを介して送信され得る。
【００３０】
基地局１１０において、アンテナ１２５２ａ〜１２５２ｒは、ＵＥ１２０からアップリンク信号を受信し、受信信号をそれぞれ復調器（ＤＥＭＯＤ）１２５４ａ〜１２５４ｒに与え得る。各復調器１２５４は、それぞれの受信信号を調整（たとえば、フィルタ処理、増幅、ダウンコンバート、およびデジタル化）して受信サンプルを取得し得る。各復調器１２５４は、さらに受信サンプルを処理して受信シンボルを取得し得る。チャネルプロセッサ／ＭＩＭＯ検出器１２５６は、すべてのＲ個の復調器１２５４ａ〜１２５４ｒから受信シンボルを取得し得る。チャネルプロセッサ１２５６は、ＵＥ１２０から受信された復調基準信号に基づいて、ＵＥ１２０から基地局１１０へのワイヤレスチャネルのチャネル推定値を導出し得る。ＭＩＭＯ検出器１２５６は、チャネル推定値に基づいて受信シンボルに対してＭＩＭＯ検出／復調を実行し得、検出されたシンボルを与え得る。受信プロセッサ１２５８は、検出されたシンボルを処理（たとえば、シンボルデマッピング、デインターリーブ、および復号）し、復号されたデータをデータシンク１２６０に与え、復号された制御情報をコントローラ／プロセッサ１２８０に与え得る。
【００３１】
ダウンリンク上では、基地局１１０において、データソース１２６２からのデータと、コントローラ／プロセッサ１２８０からの制御情報とは、送信プロセッサ１２６４によって処理され、適用可能な場合はＴＸ  ＭＩＭＯプロセッサ１２６６によってプリコードされ、変調器１２５４ａ〜１２５４ｒによって調整され、ＵＥ１２０に送信され得る。ＵＥ１２０において、基地局１１０からのダウンリンク信号は、アンテナ１２３４によって受信され、復調器１２３２によって調整され、チャネル推定器／ＭＩＭＯ検出器１２３６によって処理され、受信プロセッサ１２３８によってさらに処理されて、ＵＥ１２０に送られたデータおよび制御情報を取得し得る。プロセッサ１２３８は、復号されたデータをデータシンク１２３９に与え、復号された制御情報をコントローラ／プロセッサ１２４０に与え得る。
【００３２】
コントローラ／プロセッサ１２４０および１２８０は、それぞれＵＥ１２０および基地局１１０における動作を指示し得る。ＵＥ１２０におけるプロセッサ１２２０、プロセッサ１２４０、および／または他のプロセッサならびにモジュールは、図３のプロセス３００、および／または本明細書で説明する技法のための他のプロセスを実行または指示し得る。基地局１１０におけるプロセッサ１２５６、プロセッサ１２８０、および／または他のプロセッサならびにモジュールは、図５のプロセス５００、および／または本明細書で説明する技法のための他のプロセスを実行または指示し得る。メモリ１２４２および１２８２は、それぞれＵＥ１２０および基地局１１０のためのデータおよびプログラムコードを記憶し得る。スケジューラ１２８４は、ダウンリンクおよび／またはアップリンク送信についてＵＥをスケジュールし得、スケジュールされたＵＥのためのリソースの割振り（たとえば、複数の不連続クラスタ、復調基準信号のためのＲＳシーケンスの割当てなど）を行い得る。
【００３３】
Ｒｅｌ−８は、単入力多出力（ＳＩＭＯ）構成として知られる単一送信ＵＥアンテナ構成のための電力制御を定義する。Ｒｅｌ−８におけるＳＩＭＯ電力制御に従って、サブフレームｉにおけるＰＵＳＣＨ電力制御は以下の公式を使用して計算される。
【数１】
0005976877.tif 000002
【００３４】
式（１）中のパラメータの意味はＲｅｌ−８に記載されている。式（１）中の上記の公式は次のように簡略化され、書き直され得る。
【数２】
0005976877.tif 000003
【００３５】
上式で、Ａ（ｉ）項はＤｅｌｔａ＿ＴＦの前のアグリゲート項を表す。Ｋｓ＝１．２５の場合、次式が得られる。
【数３】
0005976877.tif 000004
【００３６】
Ｋｓ＝０の場合、次式が得られる。
【数４】
0005976877.tif 000005
【００３７】
以下の説明では、パラメータΔTFはＤｅｌｔａＴＦとしても表される。いくつかの設計では、パラメータＫｓは、上位レイヤフィールドｄｅｌｔａＭＣＳ−Ｅｎａｂｌｅｄによって与えられるＵＥ固有パラメータである。ＭＰＲ項は、ＵＥ１２０によって使用されるべき、リソース要素当たりの量変調密度（quantity modulation density per resource element）、または１つのリソース要素によって搬送される情報ビットの量を表す。ＭＰＲ項は次のように評価され得る。
【数５】
0005976877.tif 000006
【００３８】
上式で、
【数６】
0005976877.tif 000007
【００３９】
は送信されるべき情報ビットの総数を表し、ＮREは利用されるリソース要素の数を表す。
【００４０】
Ｒｅｌ−８におけるＳＩＭＯ送信の場合、ＤｅｌｔａＴＦは次のように使用され得る。
【００４１】
最初に、アップリンク送信の公称信号対雑音比（ＳＮＲ）が０ｄＢ（またはＸｄＢ）〜Ａ（ｉ）辺りになるように電力制御され得（上記の式（２）を参照）、ここで、Ｘは、ｅＮＢ１１０によって選定された動作公称ＳＮＲ値である。
【００４２】
次に、特定の変調およびコーディング方式（ＭＣＳ）が電力制御公式に従って選択される。動作中、ＵＥ１２０の送信電力（Ａ（ｉ））がＤｅｌｔａＴＦによってさらに補償されることになる。ＤｅｌｔａＴＦの追加の補償を用いると、実際のＳＮＲはＤｅｌｔａＴＦ  ｄＢ（またはＸ＋ＤｅｌｔａＴＦ  ｄＢ）辺りになる。
【００４３】
いくつかの設計では、ＤｅｌｔａＴＦ  ｄＢのＳＮＲを用いて、選択されたＭＣＳを用いるスケジュールされた送信が第１の送信において１０％辺りのブロック誤り率（ＢＬＥＲ：block error rate）を有し得るように動作ＳＮＲ値を選定し得る。
【００４４】
Ｒｅｌ−１０の現行バージョンでは、Ｒｅｌ−８の単一アンテナ電力制御フレームワークがＭＩＭＯ電力制御に適用するように拡張されている。Ｒｅｌ−１０の現行バージョンでは、アンテナ毎高速送信電力制御（ＴＰＣ：transmit power control）コマンド（すなわち、単一のＴＰＣコマンド）は指定されていない。さらに、ＴＰＣ計算は、単一の経路損失推定に基づく。Ｋｓ＝０の場合、送信電力は、プリコーディング重みの比に従って送信アンテナ間で分割される。さらに、Ｋｓ＞０の場合は、合意に達していない。
【００４５】
いくつかの設計では、Ｋｓ＞０を可能にすることによって、ＵＥ１２０のためのＭＣＳを選定するさらなる柔軟性をｅＮＢ１１０に与え得る。たとえば、あるネットワークトラフィック条件の下で、ＭＣＳを選定するＴＰＣ柔軟性により、たとえば、ＵＥ１２０の送信バッファを迅速に空（empty）にするために、特定のＵＥ１２０により高い電力（すなわち、より高いＳＮＲ）送信機会を割り振ることが可能になり得る。しかしながら、Ｒｅｌ−１０の現行バージョンは、アップリンクにおけるＭＩＭＯ動作の場合ＤｅｌｔａＴＦを使用しない。したがって、現在の仕様では、目標フレーム誤り率要件を満たすために、ｅＮＢ１１０が、ＵＥ１２０のために特定のＭＣＳ（ＭＣＳ＿ｏｒｉｇｉｎａｌと呼ばれる元のＭＣS）を選定することのみが可能である。したがって、ＭＣＳ＿ｏｒｉｇｉｎａｌは、従来のＴＰＣ計算を使用したトランスポートフォーマット値を表し得る。
【００４６】
いくつかの設計では、アップリンクＭＩＭＯ動作の場合、ＭＣＳ依存ＤｅｌｔａＴＦを用いて、ｅＮＢ１１０は、適切な電力補償がある任意のＭＣＳ値、すなわち、ＭＣＳ＿ｓｅｌｅｃｔｅｄを選定することが可能であり得る。
【００４７】
いくつかの設計では、Ｋｓ＞０の場合のサブフレームｉにおける物理アップリンク共有チャネル（ＰＵＳＣＨ：physical uplink shared channel）電力制御は、上記の式（１）において定義されている公式と同じ公式を使用して実行され得る。ただし、Ｋｓ＝１．２５の場合、ＤｅｌｔａＴＦの公式は、（上記の式（３）と比較して）次のように再定義され得る。
【数７】
0005976877.tif 000008
【００４８】
式（５）におけるトランスポートフォーマットパラメータは以下の意味を有する。
【数８】
0005976877.tif 000009
【００４９】
：対応するＰＵＳＣＨ送信においてＴＢ０のために使用されるべきＭＣＳである、ＴＢ０のための選択されたＭＣＳから導出されるＭＰＲ
【数９】
0005976877.tif 000010
【００５０】
：ＴＢ０のための元のＭＣＳ（ＤｅｌｔａＴＦ補償のない、すなわち、Ａ（ｉ）のみがある、ＴＢ０のためにスケジュールされたであろうＭＣＳ）から導出されるＭＰＲ
【数１０】
0005976877.tif 000011
【００５１】
：対応するＰＵＳＣＨ送信においてＴＢ１のために使用されるべきＭＣＳである、ＴＢ１のための選択されたＭＣＳから導出されるＭＰＲ
【数１１】
0005976877.tif 000012
【００５２】
：ＴＢ１のための元のＭＣＳ（ＤｅｌｔａＴＦ補償のない、すなわち、Ａ（ｉ）のみがある、ＴＢ１のためにスケジュールされたであろうＭＣＳ）から導出されるＭＰＲ
いくつかの実施形態では、Ｋｓ＞０の場合のサブフレームｉにおけるＰＵＳＣＨ電力制御のために以下の関数が使用され得る。
【数１２】
0005976877.tif 000013
【００５３】
上式で、αは、ＴＢ０に割り振られた総電力Ａ（ｉ）の一部分を示す。
【００５４】
たとえば、ランク＝２および４送信の場合、αは値０．５を有するように選定され得る。さらに、ランク＝３の場合、Ａ（ｉ）がＵＥ１２０における送信アンテナ間で等しく分割される場合、αは値０．５を有するように選定され得る。
【００５５】
ランク１送信の場合、ＤｅｌｔａＴＦについての式（６）における公式は、次のように、（たとえば、ＴＢ０に対応する）２つのトランスポートフォーマットパラメータのみに依存するように書き直され得る。
【数１３】
0005976877.tif 000014
【００５６】
ＭＩＭＯシステムにおけるシングルアンテナ送信の場合に有用である式（７）のランク１送信公式は、次のように、Ｒｅｌ−８において使用されるＳＩＭＯ電力制御公式と同様であることを諒解されよう。
【数１４】
0005976877.tif 000015
【００５７】
いくつかの設計では、閉ループ電力制御を用いて、元のＭＰＲは、次のように制御され得る。
【数１５】
0005976877.tif 000016
【００５８】
Ｋｓ＞０の場合のサブフレームｉにおけるＰＵＳＣＨ電力制御は、上記で説明したように、様々な技法を使用してｅＮＢ１１０からＵＥ１２０に通信され得る。ＭＰＲは、送信スペクトル効率を特徴づけ、値０〜３１が可能である対応するＭＣＳインデックスから判断され得ることに留意されたい。したがって、１つのＭＣＳインデックスのフルシグナリングは５ビットを必要とし得る。
【００５９】
いくつかの設計では、ｅＮＢ１１０からＵＥ１２０へのシグナリングはＵＬ許可中で行われ得る。ＵＬ許可中の通信は、ｅＮＢ１１０が、サブフレームごとに（たとえば、ミリ秒ごとに）サブフレーム上でＵＥ１２０からの送信電力を動的に調整することを可能にし得る。いくつかの設計では、動的シグナリングは、各ＭＣＳインデックスについてのフルビットメッセージを備え得る。たとえば、各ＭＣＳインデックスが５ビットを必要とするとき、シグナリングのために２０ビットが使用され得る。
【００６０】
いくつかの設計では、動的シグナリングは、フルビット幅フィールド（たとえば、５ビット）を使用してＭＣＳインデックスのサブセット（たとえば、２つのＭＣＳインデックス）をシグナリングすることによって、および別のサブセットのための「選択された」ＭＣＳインデックスと「元の」ＭＣＳインデックスとの間の差をシグナリングすることによって実行され得る。たとえば、ＴＢ０およびＴＢ１のための選択されたＭＣＳインデックスは各々５ビットを使用して送信され得、ＴＢ０およびＴＢ１のための元のＭＣＳインデックスとの差は、より少ないビット数（たとえば、２ビット−それによって４つの異なる差分値が可能になる）を使用して送信され得る。
【００６１】
いくつかの設計では、電力制御Ａ（ｉ）は、ＴＢの元のＭＣＳのうちの１つがデフォルト値辺りで制御され得るように実行され得る。たとえば、ＴＢ０のための元のＭＣＳは（約０ｄＢの電力に対応する）７辺りで制御され得る。このデフォルト動作は、一態様では、ＴＢ０のための元のＭＣＳインデックスをシグナリングする必要をなくし得る。
【００６２】
いくつかの設計では、ＭＣＳ選択能力は、１つのトランスポートブロックのためにのみ使用可能であり得る。たとえば、一般性の損失なしに、ＴＢ１のために行われるＭＣＳ調整なしにＴＢ０のみのための送信電力をシグナリングすることが可能であり得る。上記で説明したように、元のＭＣＳのデフォルト値演算とともに部分使用可能性も実行され得ることを諒解されよう。複合実装形態において、ＭＣＳインデックスシグナリングのための現在利用可能な１０ビットが利用され得る。
【００６３】
いくつかの設計では、トランスポートフォーマットパラメータ
【数１６】
0005976877.tif 000017
【００６４】
のうちの１つまたは複数が半静的（semi-statically）に通信され得る。前に説明したように、半静的シグナリングは、フルビット記述または「選択されたＭＣＳ」と「元のＭＣＳ」との間の差のいずれかをシグナリングし得る。
【００６５】
非限定的な例として、ある継続時間内で、上位レイヤは次のように差を構成することができる。
【００６６】
ＴＢ０の場合、ＭＣＳ＿Ｓｅｌｅｃｔｅｄ−ＭＣＳ＿Ｏｒｉｇｉｎａｌ＝４である。
【００６７】
ＴＢ１の場合、ＭＣＳ＿Ｓｅｌｅｃｔｅｄ−ＭＣＳ＿Ｏｒｉｇｉｎａｌ＝２である。
【００６８】
式（６）を参照すると、α＝０．５の場合、式は次のように書き直され得る。
【数１７】
0005976877.tif 000018
【００６９】
式（１０）中の２つの項
【数１８】
0005976877.tif 000019
【００７０】
と
【数１９】
0005976877.tif 000020
【００７１】
とは、それぞれＴＢ０およびＴＢ１のための対応する電力スケーリングを示し得る。式（１０）は、異なるトランスポートブロックに対して異なるＭＣＳインデックスをスケジュールする完全な柔軟性を可能にする一般的な形態であると見なされ得る。
【００７２】
いくつかの設計では、式（６）に示す公式は次のように単純化され得る。いくつかの設計では、ＤＣＩフォーマット４において、両方のトランスポートブロック
【数２０】
0005976877.tif 000021
【００７３】
および
【数２１】
0005976877.tif 000022
【００７４】
のためのスケジュールされたＭＣＳインデックスのみが１０ビットでシグナリングされ得る。
【数２２】
0005976877.tif 000023
【００７５】
および
【数２３】
0005976877.tif 000024
【００７６】
のシグナリングのために追加のシグナリングオーバーヘッドを必要とすることなしに、両方のＴＢに同じデルタＭＣＳインデックスを仮定して、次の仮定が行われ得る。
【数２４】
0005976877.tif 000025
【００７７】
式（３）におけるＲｅｌ−８ΔTF（ｉ）とＭＣＳインデックスとの間の関係が線形であり得ることを、当業者は諒解されよう。したがって、次式が仮定され得る。
【数２５】
0005976877.tif 000026
【００７８】
上記の条件の下で、式（１０）中のΔTF（ｉ）は次のように書き直され得る。
【数２６】
0005976877.tif 000027
【数２７】
0005976877.tif 000028
【００７９】
Ｂを
【数２８】
0005976877.tif 000029
【００８０】
と定義することによって、および高速ＴＰＣコマンドｆ（ｉ）を通して、Ｂが常に０ｄＢ辺りで制御されるようにＡ（ｉ）を電力制御することによって、マルチコードワード送信の場合のＤｅｌｔａＴＦのための提案された公式は次式のようになる。
【数２９】
0005976877.tif 000030
【００８１】
上式は、上記で提案された式（７）に一致する。
【００８２】
いくつかの設計では、式（１０）は次のように簡略化され得る。最初に、前に説明した仮定の下で、式（１０）はまた、次式のように書き直され得る。
【数３０】
0005976877.tif 000031
【００８３】
または同等に、次式のように書き直され得る。
【数３１】
0005976877.tif 000032
【００８４】
次いで、次式が得られる。
【数３２】
0005976877.tif 000033
【００８５】
Ｃを
【数３３】
0005976877.tif 000034
【００８６】
と定義することによって、および高速ＴＰＣコマンドｆ（ｉ）を通して、Ｃが０ｄＢ辺りで制御されるようにＡ（ｉ）を電力制御することによって、マルチコードワード送信の場合のＤｅｌｔａＴＦのための提案された公式は次式のようになる。
【数３４】
0005976877.tif 000035
【００８７】
上式は送信電力を計算するために使用され得る。
【００８８】
上式において使用されるいくつかのパラメータの定義は次の通りである。
【数３５】
0005976877.tif 000036
【００８９】
：スケジュールされたＰＵＳＣＨ送信においてＴＢ０によって使用されるようにスケジュールされたＭＣＳ
【数３６】
0005976877.tif 000037
【００９０】
：コードワード０のためのスケジュールされたＭＣＳから導出される、コードワード０がマッピングされる各レイヤ中のＲＥ当たりのスペクトル効率を特徴づけるＭＰＲ
【数３７】
0005976877.tif 000038
【００９１】
：スケジュールされたＰＵＳＣＨ送信においてＴＢ１によって使用されるようにスケジュールされたＭＣＳ
【数３８】
0005976877.tif 000039
【００９２】
：コードワードのためのスケジュールされたＭＣＳから導出される、コードワード１がマッピングされる各レイヤ中のＲＥ当たりのスペクトル効率を特徴づけるＭＰＲ
上記で説明したように、ＫS＝１．２５の場合のＵＬ  ＭＩＭＯ電力制御のための設計が提供される。ＬＴＥ  Ｒｅｌ−１０の場合の（式１からの）提案された電力制御公式は次の通りである。
【数３９】
0005976877.tif 000040
【００９３】
シングルコードワード送信の場合、ΔTF（ｉ）は、次式について、（式８からの）Ｒｅｌ−８の定義に従う。
【数４０】
0005976877.tif 000041
【００９４】
マルチコードワード送信の場合、ΔTF（ｉ）は、（式１５から）次式のように変更される。
【数４１】
0005976877.tif 000042
【００９５】
総送信電力は、コードワード（トランスポートブロックとも呼ばれる）間で等しく分割される。
【００９６】
図３は、本開示の一態様を実装するために、たとえば、ＵＥ１２０において実行される例示的なブロックを示す機能ブロック図３００である。ブロック３０２において、ＵＥ１２０は、少なくとも第１のトランスポートフォーマットパラメータと第２のトランスポートフォーマットパラメータとを受信する。式（７）に関して上記で説明したように、トランスポートフォーマットパラメータは、たとえば、ＴＢ０についてのＭＣＳパラメータであり得る。これらのトランスポートフォーマットパラメータは、特定のトランスポートブロックにおけるスペクトル効率を反映する。ブロック３０４において、ＵＥ１２０は、第１のトランスポートフォーマットパラメータと第２のトランスポートフォーマットパラメータとに基づいて送信電力レベル調整を判断する。ＵＥ１２０がブロック３０４において送信電力レベル調整を判断することによって、スペクトル効率に従って送信電力を調整することが可能になる。いくつかの設計では、送信電力レベルは、上記で説明した式（１）および式（７）を使用して計算され得る。ブロック３０６において、ＵＥ１２０は、判断された送信電力レベル調整を使用して第１のトランスポートブロック（たとえば、ＴＢ０）を送信する。前に説明したように、所望の送信電力レベルは、動的にまたは半静的に通信され得る。
【００９７】
図４は、たとえば、ＵＥ１２０において実装されるワイヤレス通信装置４００のブロック図表現である。装置４００はコントローラ／プロセッサ１２４０を含む。コントローラ／プロセッサ１２４０は、装置４００中に存在する様々なソフトウェアおよびファームウェアを実行し、装置４００の基本機能および動作を制御する。装置４００は、少なくとも第１のトランスポートフォーマットパラメータと第２のトランスポートフォーマットパラメータとを受信するためのモジュール４０２を含む。コントローラ／プロセッサ１２４０の制御下で、モジュール４０２は、サービングｅＮＢから少なくとも第１のトランスポートフォーマットパラメータと第２のトランスポートフォーマットパラメータとを受信するように動作する。コントローラ／プロセッサ１２４０によって実行されるモジュール４０２は、第１のトランスポートフォーマットパラメータと第２のトランスポートフォーマットパラメータとを受信するための手段を与える。モジュール４０４は、第１のトランスポートフォーマットパラメータと第２のトランスポートフォーマットパラメータとに基づいて送信電力レベル調整を判断するコントローラ／プロセッサ１２４０によって実行される。ｅＮＢから判断される一般的な送信電力レベルに加えて、装置４００は、さらに、第１のトランスポートフォーマットパラメータと第２のトランスポートフォーマットパラメータとを通して判断されたスペクトル効率に適応するために、モジュール４０４の実行を通して、一般的な送信電力レベルに対する調整を判断することができる。コントローラ／プロセッサ１２４０によって実行されるモジュール４０４は、第１のトランスポートフォーマットパラメータと第２のトランスポートフォーマットパラメータとに基づいて送信電力レベル調整を判断するための手段を与える。モジュール４０６はまた、一般的な送信電力レベルに対する送信電力レベル調整を使用して第１のトランスポートブロックを送信するコントローラ／プロセッサ１２４０によって実行される。コントローラ／プロセッサ１２４０によって実行されるモジュール４０６は、送信電力レベル調整を使用してトランスポートブロックを送信するための手段を与える。
【００９８】
図５は、本開示の一態様を実装するために実行される例示的なブロックを示す機能ブロック図である。たとえば、そのような機能ブロックはＵＥ１２０において実装され得る。図５に示す例では、ＵＥ１２０は、複数のトランスポートブロックを送信するために複数の送信アンテナを用いて動作している。ブロック５００において、ＵＥ１２０は、送信されるべき各トランスポートブロックについてスケジュールされたトランスポートフォーマットパラメータを受信する。スケジュールされたトランスポートフォーマットパラメータを使用して、ブロック５０２において、ＵＥ１２０は、トランスポートブロックの各々の送信電力レベル調整を判断する。ブロック５０４において、ＵＥ１２０は、対応する送信電力レベル調整を使用して各トランスポートブロックを送信する。
【００９９】
図６は、本開示の一態様に従って構成されたＵＥ１２０を示すブロック図である。ＵＥ１２０はコントローラ／プロセッサ１２４０を含む。コントローラ／プロセッサ１２４０は、ＵＥ１２０中に存在する様々なソフトウェアおよびファームウェアを実行し、ＵＥ１２０の基本機能および動作を制御する。ＵＥ１２０中の受信機６００は、コントローラ／プロセッサ１２４０の制御下で、ＵＥ１２０が送信すべき複数のトランスポートブロックの各々についてスケジュールされたトランスポートフォーマットパラメータを受信するように動作する。受信機６００は、アンテナ１２３４ａ〜１２３４ｔ、復調器１２３２ａ〜１２３２ｔ、チャネルプロセッサ／ＭＩＭＯ検出器１２３６、および受信プロセッサ１２３８など、そのような構成要素およびハードウェアを使用して実施され得る。コントローラ／プロセッサ１２４０の制御下で動作する受信機６００は、ＵＥ１２０によって送信されるべき複数のトランスポートブロックの各々についてスケジュールされたトランスポートフォーマットパラメータを受信するための手段を与える。
【０１００】
電力調整モジュール６０１は、コントローラ／プロセッサ１２４０によって実行されたとき、各トランスポートブロックの電力レベル調整を判断するために、ｅＮＢから受信したスケジュールされたトランスポートフォーマットパラメータを使用する。スケジュールされたトランスポートフォーマットパラメータは、特定のトランスポートブロックのスペクトル効率に関係する。したがって、ＵＥ１２０は、特定のスペクトル効率に従って標準電力レベルを調整し得る。コントローラ／プロセッサ１２４０によって実行される電力調整モジュール６０１は、スケジュールされたトランスポートフォーマットパラメータに基づいて各トランスポートブロックの送信電力レベル調整を判断するための手段を与える。
【０１０１】
ＵＥ１２０は送信機６０２をも含む。コントローラ／プロセッサ１２４０の制御下で、送信機６０２は、送信電力を調整するために送信電力レベル調整を使用して各トランスポートブロックを送信する。送信機６０２は、アンテナ１２３４ａ〜１２３４ｔ、変調器１２３２ａ〜１２３２ｔ、ＴＸ  ＭＩＭＯ検出器１２３０、および送信プロセッサ１２２０など、そのような構成要素およびハードウェアを使用して実施され得る。コントローラ／プロセッサ１２４０の制御下で動作する送信機６０２は、送信電力レベル調整を使用して各トランスポートブロックを送信するための手段を与える。
【０１０２】
図７は、本開示の一態様を実装するために実行される例示的なブロックを示す機能ブロック図である。ブロック７００において、ｅＮＢ１１０などのｅＮＢは、それのサービスエリア内のモバイルデバイスによって送信されるべき各トランスポートブロックについてスケジュールされたトランスポートフォーマットパラメータを判断する。ｅＮＢ１１０は、様々な被サービスＵＥによって与えられるチャネル品質メトリックに基づいて、スケジュールされたトランスポートフォーマットパラメータを判断し得る。ブロック７０２において、関連するモバイルデバイスにスケジュールされたトランスポートフォーマットパラメータを送信する。ブロック７０４において、ｅＮＢ１１０は、送信電力レベルがスケジュールされたトランスポートフォーマットパラメータに基づいて調整された状態で、ＵＥによって送信されたトランスポートブロックを受信する。したがって、ｅＮＢ電力制御メッセージに基づいて設定される標準送信電力に加えて、ＵＥは、ｅＮＢ１１０から送信されるスケジュールされたトランスポートフォーマットパラメータによって判断された、各トランスポートブロックに関連するスペクトル効率に基づいて追加の調整を行うことが可能である。
【０１０３】
図８は、本開示の一態様に従って構成されたｅＮＢ１１０を示すブロック図である。ｅＮＢ１１０はコントローラ／プロセッサ１２８０を含む。コントローラ／プロセッサ１２８０は、ｅＮＢ１１０中に存在する様々なソフトウェアおよびファームウェアを実行し、ｅＮＢ１１０の基本機能および動作を制御する。コントローラ／プロセッサ１２８０によって実行されるトランスポートフォーマットパラメータスケジューラ８０１は、各潜在的なトランスポートブロックのスペクトル効率に関する情報を使用し、それのサービングエリア内の各ＵＥの各トランスポートブロックについてスケジュールされたトランスポートフォーマットパラメータを判断する。そのようなトランスポートフォーマットパラメータの非限定的な一例はＭＣＳである。ｅＮＢ１１０は、様々な被サービスＵＥのスペクトル効率またはチャネル品質に基づいて異なるＭＣＳを選択し得る。トランスポートフォーマットパラメータスケジューラ８０１は、コントローラ／プロセッサ１２８０とともに、モバイルデバイスによって送信されるべき各トランスポートブロックについてスケジュールされたトランスポートフォーマットパラメータを判断するための手段を与える。
【０１０４】
送信機８０２は、コントローラ／プロセッサ１２８０の制御下で、関連するＵＥにスケジュールされたトランスポートフォーマットパラメータを送信する。送信機８０２は、アンテナ１２５２ａ〜１２５２ｒ、変調器１２５４ａ〜１２５４ｒ、ＴＸ  ＭＩＭＯ検出器１２６６、および送信プロセッサ１２６４など、そのような構成要素およびハードウェアを使用して実施され得る。コントローラ／プロセッサ１２８０の制御下で動作する送信機８０２は、モバイルデバイスにスケジュールされたトランスポートフォーマットパラメータを送信するための手段を与える。
【０１０５】
ｅＮＢ１１０中の受信機８００は、コントローラ／プロセッサ１２８０の制御下で、被サービスＵＥによって送信されたトランスポートブロックを受信するように動作する。ｅＮＢ１１０によって送られたスケジュールされたトランスポートフォーマットパラメータに基づいてＵＥによって判断された送信電力レベル調整によって電力レベルが調整された状態で、トランスポートブロックが受信される。受信機８００は、アンテナ１２５２ａ〜１２５２ｒ、復調器１２５４ａ〜１２５４ｒ、チャネルプロセッサ／ＭＩＭＯ検出器１２５６、および受信プロセッサ１２５８など、そのような構成要素およびハードウェアを使用して実施され得る。コントローラ／プロセッサ１２８０の制御下で動作する受信機８００は、送信電力レベルがスケジュールされたトランスポートフォーマットパラメータに基づいて調整された状態でトランスポートブロックを受信するための手段を与える。
【０１０６】
ＵＥ１２０の送信電力を制御するための技法を開示することを諒解されよう。一態様では、本技法は、トランスポートフォーマットの実際の値と元の値とを使用する計算に基づいて柔軟な電力制御を可能にする。別の態様では、所望の送信電力レベルが、たとえば、アップリンク許可を使用して動的に、または、たとえば、上位レイヤメッセージを使用して半静的にｅＮＢ１１０からＵＥ１２０に通信され得る。
【０１０７】
さらに、開示する技法は、送信電力制御のためのＭＣＳを選択するための追加の柔軟性が可能になる、ＭＩＭＯシステムにおけるランク１送信に適用可能であることを諒解されよう。
【０１０８】
情報および信号は多種多様な技術および技法のいずれかを使用して表され得ることを、当業者は理解されよう。たとえば、上記の説明全体にわたって言及され得るデータ、命令、コマンド、情報、信号、ビット、シンボル、およびチップは、電圧、電流、電磁波、磁界または磁性粒子、光場または光学粒子、あるいはそれらの任意の組合せによって表され得る。
【０１０９】
さらに、本明細書の開示に関して説明した様々な例示的な論理ブロック、モジュール、およびアルゴリズムステップは、電子ハードウェア、コンピュータソフトウェア、またはその両方の組合せとして実装され得ることを、当業者は諒解されよう。ハードウェアとソフトウェアのこの互換性を明確に示すために、様々な例示的な構成要素、ブロック、モジュール、回路、およびステップについて、上記では概してそれらの機能に関して説明した。そのような機能をハードウェアとして実装するか、ソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【０１１０】
本明細書の開示に関して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタ論理、個別ハードウェア構成要素、あるいは本明細書で説明した機能を実行するように設計されたそれらの任意の組合せを用いて実装または実行され得る。汎用プロセッサはマイクロプロセッサであり得るが、代替として、プロセッサは、任意の従来のプロセッサ、コントローラ、マイクロコントローラ、または状態機械であり得る。プロセッサはまた、コンピューティングデバイスの組合せ、たとえば、ＤＳＰとマイクロプロセッサとの組合せ、複数のマイクロプロセッサ、ＤＳＰコアと連携する１つまたは複数のマイクロプロセッサあるいは任意の他のそのような構成として実装され得る。
【０１１１】
本明細書の開示に関して説明した方法またはアルゴリズムのステップは、直接ハードウェアで実施されるか、プロセッサによって実行されるソフトウェアモジュールで実施されるか、またはその２つの組合せで実施され得る。ソフトウェアモジュールは、ＲＡＭメモリ、フラッシュメモリ、ＲＯＭメモリ、ＥＰＲＯＭメモリ、ＥＥＰＲＯＭ（登録商標）メモリ、レジスタ、ハードディスク、リムーバブルディスク、ＣＤ−ＲＯＭ、または当技術分野で知られている任意の他の形態の記憶媒体中に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体はＡＳＩＣ中に常駐し得る。ＡＳＩＣはユーザ端末内に常駐し得る。代替として、プロセッサおよび記憶媒体は、ユーザ端末中に個別構成要素として常駐し得る。
【０１１２】
１つまたは複数の例示的な設計では、説明した機能は、ハードウェア、ソフトウェア、ファームウェア、またはそれらの組合せで実装され得る。ソフトウェアで実装した場合、機能は、１つまたは複数の命令またはコードとしてコンピュータ可読媒体上に記憶されるか、あるいはコンピュータ可読媒体を介して送信され得る。コンピュータ可読媒体は、ある場所から別の場所へのコンピュータプログラムの転送を可能にする任意の媒体を含む、非一時的コンピュータ記憶媒体と通信媒体の両方を含む。非一時的記憶媒体は、汎用または専用コンピュータによってアクセスされ得る任意の利用可能な媒体であり得る。限定ではなく例として、そのような非一時的コンピュータ可読媒体は、ＲＡＭ、ＲＯＭ、ＥＥＰＲＯＭ、ＣＤ−ＲＯＭ、あるいは他の光ディスクストレージ、磁気ディスクストレージまたは他の磁気ストレージデバイス、あるいは命令またはデータ構造の形態の所望のプログラムコード手段を記憶するために使用され得、汎用もしくは専用コンピュータまたは汎用もしくは専用プロセッサによってアクセスされ得る、任意の他の媒体を備えることができる。本明細書で使用するディスク（disk）およびディスク（disc）は、コンパクトディスク（disc）（ＣＤ）、レーザーディスク（登録商標）（disc）、光ディスク（disc）、デジタル多用途ディスク（disc）（ＤＶＤ）、フロッピー（登録商標）ディスク（disk）およびブルーレイ（登録商標）ディスク（disc）を含み、ディスク（disk）は、通常、データを磁気的に再生し、ディスク（disc）は、データをレーザで光学的に再生する。上記の組合せもコンピュータ可読媒体の範囲内に含まれるべきである。
【０１１３】
本開示についての以上の説明は、いかなる当業者も本開示を作成または使用することができるように与えたものである。本開示への様々な修正は当業者には容易に明らかとなり、本明細書で定義した一般原理は、本開示の趣旨または範囲から逸脱することなく他の変形形態に適用され得る。したがって、本開示は、本明細書で説明した例および設計に限定されるものではなく、本明細書で開示した原理および新規の特徴に合致する最も広い範囲を与えられるべきである。
以下に本願発明の当初の特許請求の範囲に記載された発明を付記する。
［Ｃ１]
送信されるべき複数のトランスポートブロックの各々についてスケジュールされたトランスポートフォーマットパラメータを受信することと、
前記スケジュールされたトランスポートフォーマットパラメータに基づいて各トランスポートブロックの送信電力レベル調整を判断することと、
前記送信電力レベル調整を使用して各トランスポートブロックを送信することと
を備える、ワイヤレス通信の方法。
［Ｃ２]
前記スケジュールされたトランスポートフォーマットパラメータに基づいてスペクトル効率を判断することであって、前記送信電力レベル調整を前記判断することが、前記スペクトル効率に基づく、判断することをさらに含む、Ｃ１に記載の方法。
［Ｃ３]
前記スケジュールされたトランスポートフォーマットパラメータが、各トランスポートブロックのスケジュールされた変調およびコーディング方式（ＭＣＳ）値を含み、前記スペクトル効率が、前記スケジュールされたＭＣＳ値に基づいて、スケジュールされたリソース要素毎変調（ＭＰＲ）値を含む、Ｃ２に記載の方法。
［Ｃ４]
前記送信電力レベル調整を前記判断することが、各トランスポートブロックについて、前記スケジュールされたトランスポートフォーマットパラメータと元のトランスポートフォーマットパラメータとの間の同じ差を仮定することを含む、Ｃ１に記載の方法。
［Ｃ５]
前記受信することが、アップリンク許可メッセージ中で前記スケジュールされたトランスポートフォーマットパラメータを受信することを含む、Ｃ１に記載の方法。
［Ｃ６]
前記送信電力レベル調整を前記判断することが、次式を使用して前記送信電力レベル調整を計算することを含み、
【数４２】
0005976877.tif 000043
上式で、Ｋｓは、前記送信電力レベル調整のモバイルデバイス固有パラメータ指示使用可能性であり、
【数４３】
0005976877.tif 000044
は、前記第１のトランスポートブロックについてのスケジュールされたリソース要素毎変調（ＭＰＲ）であり、
【数４４】
0005976877.tif 000045
は、前記第２のトランスポートブロックについてのスケジュールされたＭＰＲである、Ｃ１に記載の方法。
［Ｃ７]
前記送信電力レベル調整を前記判断することが、次式を使用して前記送信電力レベル調整を計算することを含み、
【数４５】
0005976877.tif 000046
上式で、Ｋｓは、前記送信電力レベル調整のモバイルデバイス固有パラメータ指示使用可能性であり、
【数４６】
0005976877.tif 000047
は、前記第１のトランスポートブロックについてのスケジュールされたリソース要素毎変調（ＭＰＲ）であり、
【数４７】
0005976877.tif 000048
は、前記第２のトランスポートブロックについてのスケジュールされたＭＰＲである、Ｃ１に記載の方法。
［Ｃ８]
モバイルデバイスによって送信されるべき複数のトランスポートブロックの各々についてスケジュールされたトランスポートフォーマットパラメータを判断することと、
前記モバイルデバイスに前記スケジュールされたトランスポートフォーマットパラメータを送信することと、
前記スケジュールされたトランスポートフォーマットパラメータに基づく送信電力レベル調整を用いて送信された前記トランスポートブロックを受信することと
を備える、ワイヤレス通信の方法。
［Ｃ９]
前記スケジュールされたトランスポートフォーマットパラメータが、前記第１のトランスポートブロックの第１のスケジュールされた変調およびコーディング方式（ＭＣＳ）値と、前記第２のトランスポートブロックの第２のスケジュールされたＭＣＳ値とを含む、Ｃ８に記載の方法。
［Ｃ１０]
第１のトランスポートフォーマットパラメータと第２のトランスポートフォーマットパラメータとを受信することと、
前記第１のトランスポートフォーマットパラメータと前記第２のトランスポートフォーマットパラメータとに基づいて送信電力レベル調整を判断することと、
前記送信電力レベル調整を使用してトランスポートブロックを送信することと
を備える、ワイヤレス通信のための方法。
［Ｃ１１]
第３のトランスポートフォーマットパラメータと第４のトランスポートフォーマットパラメータとを受信することと、
前記送信電力レベル調整を使用して別のトランスポートブロックを送信することと
をさらに含み、前記判断することが、前記第３のトランスポートフォーマットパラメータと前記第４のトランスポートフォーマットパラメータとに基づいて前記送信電力レベル調整を判断することをさらに含む、Ｃ１０に記載の方法。
［Ｃ１２]
前記受信することが、アップリンク許可メッセージ中で前記第１のトランスポートフォーマットパラメータと前記第２のトランスポートフォーマットパラメータとを受信することを含む、Ｃ１０に記載の方法。
［Ｃ１３]
前記受信することが、半静的構成メッセージ中で前記第１のトランスポートフォーマットパラメータと前記第２のトランスポートフォーマットパラメータとを受信することを含む、Ｃ１０に記載の方法。
［Ｃ１４]
前記送信電力レベル調整を前記判断することが、第１の値と第２の値との重み付き平均を計算することを含み、前記第１の値が前記第１のトランスポートフォーマットパラメータと前記第２のトランスポートフォーマットパラメータとに基づき、前記第２の値が前記第３のトランスポートフォーマットパラメータと前記第４のトランスポートフォーマットパラメータとに基づく、Ｃ１１に記載の方法。
［Ｃ１５]
前記第１のトランスポートフォーマットパラメータが、前記トランスポートブロックのスケジュールされた変調およびコーディング方式（ＭＣＳ）値を含み、前記判断することが、前記スケジュールされたＭＣＳ値に基づいて、スケジュールされたリソースブロック毎変調（ＭＰＲ）値を計算することをさらに含み、前記第２のトランスポートフォーマットパラメータが、前記トランスポートブロックの元のＭＣＳ値を含み、前記判断することが、前記元のＭＣＳ値に基づいて元のＭＰＲ値を計算することをさらに含む、Ｃ１０に記載の方法。
［Ｃ１６]
前記第１のトランスポートフォーマットパラメータが、前記トランスポートブロックのスケジュールされた変調およびコーディング方式（ＭＣＳ）値を含み、前記判断することが、前記スケジュールされたＭＣＳ値に基づいて、スケジュールされたリソースブロック毎変調（ＭＰＲ）値を計算することをさらに含み、前記第２のトランスポートフォーマットパラメータが、前記トランスポートブロックの元のＭＣＳ値を含み、前記判断することが、前記元のＭＣＳ値に基づいて元のＭＰＲ値を計算することをさらに含み、前記第３のトランスポートフォーマットパラメータが、前記別のトランスポートブロックの別のスケジュールされた変調およびコーディング方式（ＭＣＳ）値を含み、前記判断することが、前記別のスケジュールされたＭＣＳ値に基づいて別のスケジュールされたリソースブロック毎変調（ＭＰＲ）値を計算することをさらに含み、前記第４のトランスポートフォーマットパラメータが、前記別のトランスポートブロックの別の元のＭＣＳ値を含み、前記判断することが、前記別の元のＭＣＳ値に基づいて別の元のＭＰＲ値を計算することをさらに含む、Ｃ１１に記載の方法。
［Ｃ１７]
前記受信することが、前記第１、第２、第３、および第４のトランスポートフォーマットパラメータの第１のサブセットを、前記第１、第２、第３、および第４のトランスポートフォーマットパラメータの第２のサブセットとの差として受信することを含む、Ｃ１１に記載の方法。
［Ｃ１８]
前記送信電力レベル調整を前記判断することが、次式を使用して前記送信電力レベル調整を計算することを含み、
【数４８】
0005976877.tif 000049
上式で、Ｋｓは、前記送信電力レベル調整のモバイルデバイス固有パラメータ指示使用可能性であり、αは、前記第１のトランスポートブロックに割り振られる総電力の一部分を示し、
【数４９】
0005976877.tif 000050
は、前記第１のトランスポートブロックについての元のリソース要素毎変調（ＭＰＲ）であり、
【数５０】
0005976877.tif 000051
は、前記第１のトランスポートブロックについてのスケジュールされたＭＰＲであり、
【数５１】
0005976877.tif 000052
は、前記第２のトランスポートブロックについての元のＭＰＲであり、
【数５２】
0005976877.tif 000053
は、前記第２のトランスポートブロックについてのスケジュールされたＭＰＲである、Ｃ１０に記載の方法。
［Ｃ１９]
前記送信電力レベル調整を前記判断することが、次式を使用して前記送信電力レベル調整を計算することを含み、
【数５３】
0005976877.tif 000054
上式で、Ｋｓは、前記送信電力レベル調整のモバイルデバイス固有パラメータ指示使用可能性であり、αは、前記第１のトランスポートブロックに割り振られる総電力の一部分を示し、
【数５４】
0005976877.tif 000055
は、前記第１のトランスポートブロックについての元のリソース要素毎変調（ＭＰＲ）であり、
【数５５】
0005976877.tif 000056
は、前記第１のトランスポートブロックについてのスケジュールされたＭＰＲであり、
【数５６】
0005976877.tif 000057
は、前記第２のトランスポートブロックについての元のＭＰＲであり、
【数５７】
0005976877.tif 000058
は、前記第２のトランスポートブロックについてのスケジュールされたＭＰＲである、Ｃ１６に記載の方法。
［Ｃ２０]
送信されるべき複数のトランスポートブロックの各々についてスケジュールされたトランスポートフォーマットパラメータを受信するための手段と、
前記スケジュールされたトランスポートフォーマットパラメータに基づいて各トランスポートブロックの送信電力レベル調整を判断するための手段と、
前記送信電力レベル調整を使用して各トランスポートブロックを送信するための手段と
を備える、ワイヤレス通信の装置。
［Ｃ２１]
前記スケジュールされたトランスポートフォーマットパラメータに基づいてスペクトル効率を判断するための手段であって、前記送信電力レベル調整を前記判断するための手段が、前記スペクトル効率に基づく、判断するための手段をさらに含む、Ｃ２０に記載の装置。
［Ｃ２２]
前記スケジュールされたトランスポートフォーマットパラメータが、各トランスポートブロックのスケジュールされた変調およびコーディング方式（ＭＣＳ）値を含み、前記スペクトル効率が、前記スケジュールされたＭＣＳ値に基づいて、スケジュールされたリソース要素毎変調（ＭＰＲ）値を含む、Ｃ２１に記載の装置。
［Ｃ２３]
前記送信電力レベル調整を前記判断するための手段が、各トランスポートブロックについて、前記スケジュールされたトランスポートフォーマットパラメータと元のトランスポートフォーマットパラメータとの間の同じ差を仮定することを含む、Ｃ２０に記載の装置。
［Ｃ２４]
前記受信するための手段が、アップリンク許可メッセージ中で前記スケジュールされたトランスポートフォーマットパラメータを受信するための手段を含む、Ｃ２０に記載の装置。
［Ｃ２５]
前記送信電力レベル調整を前記判断するための手段が、次式を使用して前記送信電力レベル調整を計算するための手段を含み、
【数５８】
0005976877.tif 000059
上式で、Ｋｓは、前記送信電力レベル調整のモバイルデバイス固有パラメータ指示使用可能性であり、
【数５９】
0005976877.tif 000060
は、前記第１のトランスポートブロックについてのスケジュールされたリソース要素毎変調（ＭＰＲ）であり、
【数６０】
0005976877.tif 000061
は、前記第２のトランスポートブロックについてのスケジュールされたＭＰＲである、Ｃ２０に記載の装置。
［Ｃ２６]
前記送信電力レベル調整を前記判断するための手段が、次式を使用して前記送信電力レベル調整を計算するための手段を含み、
【数６１】
0005976877.tif 000062
上式で、Ｋｓは、前記送信電力レベル調整のモバイルデバイス固有パラメータ指示使用可能性であり、
【数６２】
0005976877.tif 000063
は、前記第１のトランスポートブロックについてのスケジュールされたリソース要素毎変調（ＭＰＲ）であり、
【数６３】
0005976877.tif 000064
は、前記第２のトランスポートブロックについてのスケジュールされたＭＰＲである、Ｃ２０に記載の装置。
［Ｃ２７]
モバイルデバイスによって送信されるべき複数のトランスポートブロックの各々についてスケジュールされたトランスポートフォーマットパラメータを判断するための手段と、
前記モバイルデバイスに前記スケジュールされたトランスポートフォーマットパラメータを送信するための手段と、
前記スケジュールされたトランスポートフォーマットパラメータに基づく送信電力レベル調整を用いて送信された前記トランスポートブロックを受信するための手段と
を備える、ワイヤレス通信の装置。
［Ｃ２８]
前記スケジュールされたトランスポートフォーマットパラメータが、前記第１のトランスポートブロックの第１のスケジュールされた変調およびコーディング方式（ＭＣＳ）値と、前記第２のトランスポートブロックの第２のスケジュールされたＭＣＳ値とを含む、Ｃ２７に記載の装置。
［Ｃ２９]
第１のトランスポートフォーマットパラメータと第２のトランスポートフォーマットパラメータとを受信するための手段と、
前記第１のトランスポートフォーマットパラメータと前記第２のトランスポートフォーマットパラメータとに基づいて送信電力レベル調整を判断するための手段と、
前記送信電力レベル調整を使用してトランスポートブロックを送信するための手段と
を備える、ワイヤレス通信のための装置。
［Ｃ３０]
第３のトランスポートフォーマットパラメータと第４のトランスポートフォーマットパラメータとを受信するための手段と、
前記送信電力レベル調整を使用して別のトランスポートブロックを送信するための手段と
をさらに含み、前記判断するための手段が、前記第３のトランスポートフォーマットパラメータと前記第４のトランスポートフォーマットパラメータとに基づいて前記送信電力レベル調整を判断するための手段をさらに含む、Ｃ２９に記載の装置。
［Ｃ３１]
前記受信するための手段が、アップリンク許可メッセージ中で前記第１のトランスポートフォーマットパラメータと前記第２のトランスポートフォーマットパラメータとを受信するための手段を含む、Ｃ２９に記載の装置。
［Ｃ３２]
前記受信するための手段が、半静的構成メッセージ中で前記第１のトランスポートフォーマットパラメータと前記第２のトランスポートフォーマットパラメータとを受信するための手段を含む、Ｃ２９に記載の装置。
［Ｃ３３]
前記送信電力レベル調整を前記判断するための手段が、第１の値と第２の値との重み付き平均を計算するための手段を含み、前記第１の値が前記第１のトランスポートフォーマットパラメータと前記第２のトランスポートフォーマットパラメータとに基づき、前記第２の値が前記第３のトランスポートフォーマットパラメータと前記第４のトランスポートフォーマットパラメータとに基づく、Ｃ３０に記載の装置。
［Ｃ３４]
前記第１のトランスポートフォーマットパラメータが、前記トランスポートブロックのスケジュールされた変調およびコーディング方式（ＭＣＳ）値を含み、前記判断するための手段が、前記スケジュールされたＭＣＳ値に基づいて、スケジュールされたリソースブロック毎変調（ＭＰＲ）値を計算するための手段をさらに含み、前記第２のトランスポートフォーマットパラメータが、前記トランスポートブロックの元のＭＣＳ値を含み、前記判断するための手段が、前記元のＭＣＳ値に基づいて元のＭＰＲ値を計算するための手段をさらに含む、Ｃ２９に記載の装置。
［Ｃ３５]
前記第１のトランスポートフォーマットパラメータが、前記トランスポートブロックのスケジュールされた変調およびコーディング方式（ＭＣＳ）値を含み、前記判断するための手段が、前記スケジュールされたＭＣＳ値に基づいて、スケジュールされたリソースブロック毎変調（ＭＰＲ）値を計算するための手段をさらに含み、前記第２のトランスポートフォーマットパラメータが、前記トランスポートブロックの元のＭＣＳ値を含み、前記判断するための手段が、前記元のＭＣＳ値に基づいて元のＭＰＲ値を計算するための手段をさらに含み、前記第３のトランスポートフォーマットパラメータが、前記別のトランスポートブロックの別のスケジュールされた変調およびコーディング方式（ＭＣＳ）値を含み、前記判断するための手段が、前記別のスケジュールされたＭＣＳ値に基づいて別のスケジュールされたリソースブロック毎変調（ＭＰＲ）値を計算するための手段をさらに含み、前記第４のトランスポートフォーマットパラメータが、前記別のトランスポートブロックの別の元のＭＣＳ値を含み、前記判断するための手段が、前記別の元のＭＣＳ値に基づいて別の元のＭＰＲ値を計算することをさらに含む、Ｃ３０に記載の装置。
［Ｃ３６]
前記受信するための手段が、前記第１、第２、第３、および第４のトランスポートフォーマットパラメータの第１のサブセットを、前記第１、第２、第３、および第４のトランスポートフォーマットパラメータの第２のサブセットとの差として受信するための手段を含む、Ｃ３０に記載の装置。
［Ｃ３７]
前記送信電力レベル調整を前記判断するための手段が、次式を使用して前記送信電力レベル調整を計算するための手段を含み、
【数６４】
0005976877.tif 000065
上式で、Ｋｓは、前記送信電力レベル調整のモバイルデバイス固有パラメータ指示使用可能性であり、αは、前記第１のトランスポートブロックに割り振られる総電力の一部分を示し、
【数６５】
0005976877.tif 000066
は、前記第１のトランスポートブロックについての元のリソース要素毎変調（ＭＰＲ）であり、
【数６６】
0005976877.tif 000067
は、前記第１のトランスポートブロックについてのスケジュールされたＭＰＲであり、
【数６７】
0005976877.tif 000068
は、前記第２のトランスポートブロックについての元のＭＰＲであり、
【数６８】
0005976877.tif 000069
は、前記第２のトランスポートブロックについてのスケジュールされたＭＰＲである、Ｃ２９に記載の装置。
［Ｃ３８]
前記送信電力レベル調整を前記判断するための手段が、次式を使用して前記送信電力レベル調整を計算するための手段を含み、
【数６９】
0005976877.tif 000070
上式で、Ｋｓは、前記送信電力レベル調整のモバイルデバイス固有パラメータ指示使用可能性であり、αは、前記第１のトランスポートブロックに割り振られる総電力の一部分を示し、
【数７０】
0005976877.tif 000071
は、前記第１のトランスポートブロックについての元のリソース要素毎変調（ＭＰＲ）であり、
【数７１】
0005976877.tif 000072
は、前記第１のトランスポートブロックについてのスケジュールされたＭＰＲであり、
【数７２】
0005976877.tif 000073
は、前記第２のトランスポートブロックについての元のＭＰＲであり、
【数７３】
0005976877.tif 000074
は、前記第２のトランスポートブロックについてのスケジュールされたＭＰＲである、Ｃ３５に記載の装置。
［Ｃ３９]
ワイヤレスネットワークにおけるワイヤレス通信のためのコンピュータプログラム製品であって、
プログラムコードを記録した非一時的コンピュータ可読媒体を備え、前記プログラムコードが、
送信されるべき複数のトランスポートブロックの各々についてスケジュールされたトランスポートフォーマットパラメータを受信するためのプログラムコードと、
前記スケジュールされたトランスポートフォーマットパラメータに基づいて各トランスポートブロックの送信電力レベル調整を判断するためのプログラムコードと、
前記送信電力レベル調整を使用して各トランスポートブロックを送信するためのプログラムコードと
を含む、コンピュータプログラム製品。
［Ｃ４０]
前記スケジュールされたトランスポートフォーマットパラメータに基づいてスペクトル効率を判断するためのプログラムコードであって、前記送信電力レベル調整を前記判断するためのプログラムコードが、前記スペクトル効率に基づいて実行される、判断するためのプログラムコードをさらに含む、Ｃ３９に記載のコンピュータプログラム製品。
［Ｃ４１]
前記送信電力レベル調整を前記判断するためのプログラムコードが、各トランスポートブロックについて、前記スケジュールされたトランスポートフォーマットパラメータと元のトランスポートフォーマットパラメータとの間の同じ差を仮定することを含む、Ｃ３９に記載のコンピュータプログラム製品。
［Ｃ４２]
前記受信するためのプログラムコードが、アップリンク許可メッセージ中で前記スケジュールされたトランスポートフォーマットパラメータを受信するためのプログラムコードを含む、Ｃ３９に記載のコンピュータプログラム製品。
［Ｃ４３]
前記送信電力レベル調整を前記判断するためのプログラムコードが、次式を使用して前記送信電力レベル調整を計算するためのプログラムコードを含み、
【数７４】
0005976877.tif 000075
上式で、Ｋｓは、前記送信電力レベル調整のモバイルデバイス固有パラメータ指示使用可能性であり、
【数７５】
0005976877.tif 000076
は、前記第１のトランスポートブロックについてのスケジュールされたリソース要素毎変調（ＭＰＲ）であり、
【数７６】
0005976877.tif 000077
は、前記第２のトランスポートブロックについてのスケジュールされたＭＰＲである、Ｃ３９に記載のコンピュータプログラム製品。
［Ｃ４４]
前記送信電力レベル調整を前記判断するためのプログラムコードが、次式を使用して前記送信電力レベル調整を計算するためのプログラムコードを含み、
【数７７】
0005976877.tif 000078
上式で、Ｋｓは、前記送信電力レベル調整のモバイルデバイス固有パラメータ指示使用可能性であり、
【数７８】
0005976877.tif 000079
は、前記第１のトランスポートブロックについてのスケジュールされたリソース要素毎変調（ＭＰＲ）であり、
【数７９】
0005976877.tif 000080
は、前記第２のトランスポートブロックについてのスケジュールされたＭＰＲである、Ｃ３９に記載のコンピュータプログラム製品。
［Ｃ４５]
ワイヤレスネットワークにおけるワイヤレス通信のためのコンピュータプログラム製品であって、
プログラムコードを記録した非一時的コンピュータ可読媒体を備え、前記プログラムコードが、
モバイルデバイスによって送信されるべき複数のトランスポートブロックの各々についてスケジュールされたトランスポートフォーマットパラメータを判断するためのプログラムコードと、
前記モバイルデバイスに前記スケジュールされたトランスポートフォーマットパラメータを送信するためのプログラムコードと、
前記スケジュールされたトランスポートフォーマットパラメータに基づく送信電力レベル調整を用いて送信された前記トランスポートブロックを受信するためのプログラムコードと
を備える、コンピュータプログラム製品。
［Ｃ４６]
ワイヤレスネットワークにおけるワイヤレス通信のためのコンピュータプログラム製品であって、
プログラムコードを記録した非一時的コンピュータ可読媒体を備え、前記プログラムコードが、
第１のトランスポートフォーマットパラメータと第２のトランスポートフォーマットパラメータとを受信するためのプログラムコードと、
前記第１のトランスポートフォーマットパラメータと前記第２のトランスポートフォーマットパラメータとに基づいて送信電力レベル調整を判断するためのプログラムコードと、
前記送信電力レベル調整を使用してトランスポートブロックを送信するためのプログラムコードと
を含む、コンピュータプログラム製品。
［Ｃ４７]
第３のトランスポートフォーマットパラメータと第４のトランスポートフォーマットパラメータとを受信するためのプログラムコードと、
前記送信電力レベル調整を使用して別のトランスポートブロックを送信するためのプログラムコードと
をさらに含み、前記判断するためのプログラムコードが、前記第３のトランスポートフォーマットパラメータと前記第４のトランスポートフォーマットパラメータとに基づいて前記送信電力レベル調整を判断するためのプログラムコードをさらに含む、Ｃ４６に記載のコンピュータプログラム製品。
［Ｃ４８]
前記送信電力レベル調整を前記判断するためのプログラムコードが、次式を使用して前記送信電力レベル調整を計算するためのプログラムコードを含み、
【数８０】
0005976877.tif 000081
上式で、Ｋｓは、前記送信電力レベル調整のモバイルデバイス固有パラメータ指示使用可能性であり、αは、前記第１のトランスポートブロックに割り振られる総電力の一部分を示し、
【数８１】
0005976877.tif 000082
は、前記第１のトランスポートブロックについての元のリソース要素毎変調（ＭＰＲ）であり、
【数８２】
0005976877.tif 000083
は、前記第１のトランスポートブロックについてのスケジュールされたＭＰＲであり、
【数８３】
0005976877.tif 000084
は、前記第２のトランスポートブロックについての元のＭＰＲであり、
【数８４】
0005976877.tif 000085
は、前記第２のトランスポートブロックについてのスケジュールされたＭＰＲである、Ｃ４６に記載のコンピュータプログラム製品。
［Ｃ４９]
前記送信電力レベル調整を前記判断するためのプログラムコードが、次式を使用して前記送信電力レベル調整を計算するためのプログラムコードを含み、
【数８５】
0005976877.tif 000086
上式で、Ｋｓは、前記送信電力レベル調整のモバイルデバイス固有パラメータ指示使用可能性であり、αは、前記第１のトランスポートブロックに割り振られる総電力の一部分を示し、
【数８６】
0005976877.tif 000087
は、前記第１のトランスポートブロックについての元のリソース要素毎変調（ＭＰＲ）であり、
【数８７】
0005976877.tif 000088
は、前記第１のトランスポートブロックについてのスケジュールされたＭＰＲであり、
【数８８】
0005976877.tif 000089
は、前記第２のトランスポートブロックについての元のＭＰＲであり、
【数８９】
0005976877.tif 000090
は、前記第２のトランスポートブロックについてのスケジュールされたＭＰＲである、Ｃ４７に記載のコンピュータプログラム製品。
［Ｃ５０]
少なくとも１つのプロセッサと、
前記少なくとも１つのプロセッサに結合されたメモリと
を備える、ワイヤレス通信のために構成された装置であって、
前記少なくとも１つのプロセッサは、
送信されるべき複数のトランスポートブロックの各々についてスケジュールされたトランスポートフォーマットパラメータを受信することと、
前記スケジュールされたトランスポートフォーマットパラメータに基づいて各トランスポートブロックの送信電力レベル調整を判断することと、
前記送信電力レベル調整を使用して各トランスポートブロックを送信することと
を行うように構成された、装置。
［Ｃ５１]
前記少なくとも１つのプロセッサが、前記スケジュールされたトランスポートフォーマットパラメータに基づいてスペクトル効率を判断するようにさらに構成され、前記送信電力レベル調整を判断するための前記少なくとも１つのプロセッサの前記構成が、前記スペクトル効率に基づいて実行される、Ｃ５０に記載の装置。
［Ｃ５２]
前記送信電力レベル調整を判断するための前記少なくとも１つのプロセッサの前記構成が、各トランスポートブロックについて、前記スケジュールされたトランスポートフォーマットパラメータと元のトランスポートフォーマットパラメータとの間の同じ差を仮定するための構成を含む、Ｃ５０に記載の装置。
［Ｃ５３]
前記送信電力レベル調整を判断するための前記少なくとも１つのプロセッサの前記構成が、次式を使用して前記送信電力レベル調整を計算するための構成を含み、
【数９０】
0005976877.tif 000091
上式で、Ｋｓは、前記送信電力レベル調整のモバイルデバイス固有パラメータ指示使用可能性であり、
【数９１】
0005976877.tif 000092
は、前記第１のトランスポートブロックについてのスケジュールされたリソース要素毎変調（ＭＰＲ）であり、
【数９２】
0005976877.tif 000093
は、前記第２のトランスポートブロックについてのスケジュールされたＭＰＲである、Ｃ５０に記載の装置。
［Ｃ５４]
前記送信電力レベル調整を判断するための前記少なくとも１つのプロセッサの前記構成が、次式を使用して前記送信電力レベル調整を計算するための構成を含み、
【数９３】
0005976877.tif 000094
上式で、Ｋｓは、前記送信電力レベル調整のモバイルデバイス固有パラメータ指示使用可能性であり、
【数９４】
0005976877.tif 000095
は、前記第１のトランスポートブロックについてのスケジュールされたリソース要素毎変調（ＭＰＲ）であり、
【数９５】
0005976877.tif 000096
は、前記第２のトランスポートブロックについてのスケジュールされたＭＰＲである、Ｃ５０に記載の装置。
［Ｃ５５]
少なくとも１つのプロセッサと、
前記少なくとも１つのプロセッサに結合されたメモリと
を備える、ワイヤレス通信のために構成された装置であって、
前記少なくとも１つのプロセッサは、
モバイルデバイスによって送信されるべき複数のトランスポートブロックの各々についてスケジュールされたトランスポートフォーマットパラメータを判断することと、
前記モバイルデバイスに前記スケジュールされたトランスポートフォーマットパラメータを送信することと、
前記スケジュールされたトランスポートフォーマットパラメータに基づく送信電力レベル調整を用いて送信された前記トランスポートブロックを受信することと
を行うように構成された、装置。
［Ｃ５６]
少なくとも１つのプロセッサと、
前記少なくとも１つのプロセッサに結合されたメモリと
を備える、ワイヤレス通信のために構成された装置であって、
前記少なくとも１つのプロセッサは、
第１のトランスポートフォーマットパラメータと第２のトランスポートフォーマットパラメータとを受信することと、
前記第１のトランスポートフォーマットパラメータと前記第２のトランスポートフォーマットパラメータとに基づいて送信電力レベル調整を判断することと、
前記送信電力レベル調整を使用してトランスポートブロックを送信することと
を行うように構成された、装置。
［Ｃ５７]
前記少なくとも１つのプロセッサが、
第３のトランスポートフォーマットパラメータと第４のトランスポートフォーマットパラメータとを受信することと、
前記送信電力レベル調整を使用して別のトランスポートブロックを送信することと
を行うようにさらに構成され、判断するための前記少なくとも１つのプロセッサの前記構成が、前記第３のトランスポートフォーマットパラメータと前記第４のトランスポートフォーマットパラメータとに基づいて前記送信電力レベル調整を判断するための構成をさらに含む、Ｃ５６に記載の装置。
［Ｃ５８]
前記送信電力レベル調整を判断するための前記少なくとも１つのプロセッサの前記構成が、次式を使用して前記送信電力レベル調整を計算するための構成を含み、
【数９６】
0005976877.tif 000097
上式で、Ｋｓは、前記送信電力レベル調整のモバイルデバイス固有パラメータ指示使用可能性であり、αは、前記第１のトランスポートブロックに割り振られる総電力の一部分を示し、
【数９７】
0005976877.tif 000098
は、前記第１のトランスポートブロックについての元のリソース要素毎変調（ＭＰＲ）であり、
【数９８】
0005976877.tif 000099
は、前記第１のトランスポートブロックについてのスケジュールされたＭＰＲであり、
【数９９】
0005976877.tif 000100
は、前記第２のトランスポートブロックについての元のＭＰＲであり、
【数１００】
0005976877.tif 000101
は、前記第２のトランスポートブロックについてのスケジュールされたＭＰＲである、Ｃ５６に記載の装置。
［Ｃ５９]
前記送信電力レベル調整を判断するための前記少なくとも１つのプロセッサの前記構成が、次式を使用して前記送信電力レベル調整を計算するための構成を含み、
【数１０１】
0005976877.tif 000102
上式で、Ｋｓは、前記送信電力レベル調整のモバイルデバイス固有パラメータ指示使用可能性であり、αは、前記第１のトランスポートブロックに割り振られる総電力の一部分を示し、
【数１０２】
0005976877.tif 000103
は、前記第１のトランスポートブロックについての元のリソース要素毎変調（ＭＰＲ）であり、
【数１０３】
0005976877.tif 000104
は、前記第１のトランスポートブロックについてのスケジュールされたＭＰＲであり、
【数１０４】
0005976877.tif 000105
は、前記第２のトランスポートブロックについての元のＭＰＲであり、
【数１０５】
0005976877.tif 000106
は、前記第２のトランスポートブロックについてのスケジュールされたＭＰＲである、Ｃ５７に記載の装置。
【図１】
0005976877.tif 000119
【図２】
0005976877.tif 000120
【図３】
0005976877.tif 000121
【図４】
0005976877.tif 000122
【図５】
0005976877.tif 000123
【図６】
0005976877.tif 000124
【図７】
0005976877.tif 000125
【図８】
0005976877.tif 000126